(57)【要約】【課題】  効率よく認証依頼のデータを各認証装置に振り分けることが出来る、個人認証振分装置を提供する。【解決手段】  個人認証情報送信端末２より受付けた複数の個人認証情報それぞれから、所属先識別情報を読み取り、その所属先識別情報に対応する認証装置のアクセス先をアクセス先記憶部１０１から読み取る。またその読み取ったアクセス先別に、複数の個人認証情報を分類し、一斉送信処理部１０５が、それぞれのアクセス先に、分類した複数の個人認証情報をそれぞれ一斉に送信する。また認証結果情報返信処理部１０６が、個人認証情報に基づいて認証を行なったアクセス先の各認証装置より、個人認証情報ごとの認証結果情報を受付け、個人認証情報を送信した個人認証情報送信端末２に返信する。【選択図】    図１
2006099359.tif 000002
【特許請求の範囲】
【請求項１】
個人認証情報に含まれる当該個人の所属先識別情報に対応付けて、前記個人認証情報を用いた認証を行なう認証装置のアクセス先を記憶するアクセス先記憶手段と、
個人認証情報送信装置より通信ネットワークを介して受付けた複数の前記個人認証情報それぞれから、前記所属先識別情報を読み取り、その所属先識別情報に対応する前記認証装置のアクセス先を前記アクセス先記憶手段から読み取るアクセス先読み取り手段と、
その読み取ったアクセス先別に、前記複数の個人認証情報を分類するアクセス先別分類手段と、
それぞれのアクセス先に、前記分類した複数の個人認証情報をそれぞれ一斉に送信する一斉送信手段と、
前記個人認証情報に基づいて認証を行なった前記アクセス先の各認証装置より、前記個人認証情報ごとの認証結果情報を受付け、前記個人認証情報を送信した個人認証情報送信装置に返信する認証結果情報返信手段と、
を備えることを特徴とする個人認証振分装置。
【請求項２】
前記アクセス先記憶手段が、自装置の外部の認証装置を示すアクセス先と、自装置の内部の認証処理部を示すアクセス先とを記憶し、
前記一斉送信手段は、前記自装置の外部の認証装置を示すアクセス先には通信ネットワークを介して前記外部の認証装置に前記個人認証情報を送信する
ことを特徴とする請求項１に記載の個人認証振分装置。
【請求項３】
前記個人認証情報送信装置から送信された前記個人認証情報を一時蓄積する個人認証情報一時蓄積手段と、
前記一斉送信手段がそれぞれのアクセス先に一斉に前記複数の個人認証情報を送信した前回の時刻からの経過時間を計測する経過時間計測手段と、
前記個人認証情報一時蓄積手段に前記個人認証情報が所定のデータ量蓄積した場合、または前記経過時間計測手段が所定の経過時間だけ経過したと計測した場合、のいずれか一方の場合に、前記アクセス先読み取り手段、前記アクセス先別分類手段、前記一斉送信手段に処理の開始を通知する処理開始通知手段と、
を備えることを特徴とする請求項１または請求項２に記載の個人認証振分装置。
【請求項４】
個人認証振分装置における個人認証振分方法であって、
前記個人認証振分装置のアクセス先記憶手段が、個人認証情報に含まれる当該個人の所属先識別情報に対応付けて、前記個人認証情報を用いた認証を行なう認証装置のアクセス先を記憶し、
前記個人認証振分装置のアクセス先読み取り手段が、個人認証情報送信装置より通信ネットワークを介して受付けた複数の前記個人認証情報それぞれから、前記所属先識別情報を読み取り、その所属先識別情報に対応する前記認証装置のアクセス先を前記アクセス先記憶手段から読み取り、
前記個人認証振分装置のアクセス先別分類手段が、前記読み取ったアクセス先別に、前記複数の個人認証情報を分類し、
前記個人認証振分装置の一斉送信手段が、それぞれのアクセス先に、前記分類した複数の個人認証情報をそれぞれ一斉に送信し、
前記個人認証振分装置の認証結果情報返信手段が、前記個人認証情報に基づいて認証を行なった前記アクセス先の各認証装置より、前記個人認証情報ごとの認証結果情報を受付け、前記個人認証情報を送信した個人認証情報送信装置に返信する
ことを特徴とする個人認証振分方法。
【請求項５】
個人認証情報に含まれる当該個人の所属先識別情報に対応付けて、前記個人認証情報を用いた認証を行なう認証装置のアクセス先を記憶するアクセス先記憶手段を備えた個人認証振分装置のコンピュータに実行させるプログラムであって、
個人認証情報送信装置より通信ネットワークを介して受付けた複数の前記個人認証情報それぞれから、前記所属先識別情報を読み取り、その所属先識別情報に対応する前記認証装置のアクセス先を前記アクセス先記憶手段から読み取る処理と、
その読み取ったアクセス先別に、前記複数の個人認証情報を分類する処理と、
それぞれのアクセス先に、前記分類した複数の個人認証情報をそれぞれ一斉に送信する処理と、
前記個人認証情報に基づいて認証を行なった前記アクセス先の各認証装置より、前記個人認証情報ごとの認証結果情報を受付け、前記個人認証情報を送信した個人認証情報送信装置に返信する処理と、
をコンピュータに実行させるプログラム。
【発明の詳細な説明】
【技術分野】
【０００１】
本発明は、ＩＣカードなどに記録された個人認証情報を、当該個人認証情報を用いて認証を行なう複数の認証装置に振り分ける、個人認証振分装置及び個人認証振分方法ならびにそのプログラムに関する。
【背景技術】
【０００２】
従来より、ＩＣカードを利用して、サービスの提供を受けるユーザの認証を行なう技術が公開されている（例えば、特許文献１参照。）
【特許文献１】特開平１１−２５０１４０号公報
【発明の開示】
【発明が解決しようとする課題】
【０００３】
上述したような、ＩＣカードを用いたサービスとしては、例えば、ビデオ・ＣＤレンタルサービス、図書館における図書貸し出しサービスなどが考えられるが、今後、上述した特許文献に記載されているように、保険証の代わりとなるＩＣカードを利用してユーザが医療サービスを受ける仕組みや、また、ＩＣカードを用いて、印鑑証明取得や住民票取得などの公的サービスを受ける仕組みが、情報化社会の発展に伴って増えることが考えられる。このようなＩＣカードを利用したサービスを提供する際には、ＩＣカードに記録されている情報を用いてユーザ認証を行うことが多い。このユーザ認証は、通常ＩＣカードの不正利用を削減することを目的とした仕組みである。
【０００４】
ここで、各業者がそれぞれ別々に認証システムを構築してユーザ認証を行なうのではコスト面で効率が悪い。例えば、保険証のＩＣカードを利用する被保険者の認証において、保険者が保持する認証装置に被保険者の認証を依頼するシステムをそれぞれの医療機関が別々に構築する場合、医療機関と保険者が多数存在する為に、医療機関と保険者との間の認証のためのネットワークシステムを網の目の様に構築することが必要となり、かなりのコストが各医療機関や保険者にかかることとなってしまう。従って、コストを削減しようとした場合、認証を行うインターフェースとなる認証センターが必要となる。これにより、医療機関と認証センターとの通信ネットワークシステムの接続と、各保険者の認証装置と認証センターとの通信ネットワークシステムの接続をそれぞれ１対１で行なうだけで、医療機関は複数の認証先との認証を行うことが可能となる。
【０００５】
しかしながら、認証センターにおいては、多くの認証の依頼を、認証先（例えば保険者）が保持する認証装置に振り分ける処理が必要となってくるので、データ処理の効率化を図らなければ、大量の認証依頼の要求を処理できないという問題が発生する。
【０００６】
そこでこの発明は、効率よく認証依頼のデータを各認証装置に振り分けることが出来る、個人認証振分装置及び個人認証振分方法ならびにそのプログラムを提供することを目的としている。
【課題を解決するための手段】
【０００７】
本発明は、上述の課題を解決すべくなされたもので、個人認証情報に含まれる当該個人の所属先識別情報に対応付けて、前記個人認証情報を用いた認証を行なう認証装置のアクセス先を記憶するアクセス先記憶手段と、個人認証情報送信装置より通信ネットワークを介して受付けた複数の前記個人認証情報それぞれから、前記所属先識別情報を読み取り、その所属先識別情報に対応する前記認証装置のアクセス先を前記アクセス先記憶手段から読み取るアクセス先読み取り手段と、その読み取ったアクセス先別に、前記複数の個人認証情報を分類するアクセス先別分類手段と、それぞれのアクセス先に、前記分類した複数の個人認証情報をそれぞれ一斉に送信する一斉送信手段と、前記個人認証情報に基づいて認証を行なった前記アクセス先の各認証装置より、前記個人認証情報ごとの認証結果情報を受付け、前記個人認証情報を送信した個人認証情報送信装置に返信する認証結果情報返信手段と、を備えることを特徴とする個人認証振分装置である。
【０００８】
また本発明は、上記個人認証振分装置において、前記アクセス先記憶手段が、自装置の外部の認証装置を示すアクセス先と、自装置の内部の認証処理部を示すアクセス先とを記憶し、前記一斉送信手段が、前記自装置の外部の認証装置を示すアクセス先には通信ネットワークを介して前記外部の認証装置に前記個人認証情報を送信することを特徴とする。
【０００９】
また本発明は、上記個人認証振分装置が、前記個人認証情報送信装置から送信された前記個人認証情報を一時蓄積する個人認証情報一時蓄積手段と、前記一斉送信手段がそれぞれのアクセス先に一斉に前記複数の個人認証情報を送信した前回の時刻からの経過時間を計測する経過時間計測手段と、前記個人認証情報一時蓄積手段に前記個人認証情報が所定のデータ量蓄積した場合、または前記経過時間計測手段が所定の経過時間だけ経過したと計測した場合、のいずれか一方の場合に、前記アクセス先読み取り手段、前記アクセス先別分類手段、前記一斉送信手段に処理の開始を通知する処理開始通知手段と、を備えることを特徴とする。
【００１０】
また本発明は、個人認証振分装置における個人認証振分方法であって、前記個人認証振分装置のアクセス先記憶手段が、個人認証情報に含まれる当該個人の所属先識別情報に対応付けて、前記個人認証情報を用いた認証を行なう認証装置のアクセス先を記憶し、前記個人認証振分装置のアクセス先読み取り手段が、個人認証情報送信装置より通信ネットワークを介して受付けた複数の前記個人認証情報それぞれから、前記所属先識別情報を読み取り、その所属先識別情報に対応する前記認証装置のアクセス先を前記アクセス先記憶手段から読み取り、前記個人認証振分装置のアクセス先別分類手段が、前記読み取ったアクセス先別に、前記複数の個人認証情報を分類し、前記個人認証振分装置の一斉送信手段が、それぞれのアクセス先に、前記分類した複数の個人認証情報をそれぞれ一斉に送信し、前記個人認証振分装置の認証結果情報返信手段が、前記個人認証情報に基づいて認証を行なった前記アクセス先の各認証装置より、前記個人認証情報ごとの認証結果情報を受付け、前記個人認証情報を送信した個人認証情報送信装置に返信することを特徴とする個人認証振分方法である。
【００１１】
また本発明は、個人認証情報に含まれる当該個人の所属先識別情報に対応付けて、前記個人認証情報を用いた認証を行なう認証装置のアクセス先を記憶するアクセス先記憶手段を備えた個人認証振分装置のコンピュータに実行させるプログラムであって、個人認証情報送信装置より通信ネットワークを介して受付けた複数の前記個人認証情報それぞれから、前記所属先識別情報を読み取り、その所属先識別情報に対応する前記認証装置のアクセス先を前記アクセス先記憶手段から読み取る処理と、その読み取ったアクセス先別に、前記複数の個人認証情報を分類する処理と、それぞれのアクセス先に、前記分類した複数の個人認証情報をそれぞれ一斉に送信する処理と、前記個人認証情報に基づいて認証を行なった前記アクセス先の各認証装置より、前記個人認証情報ごとの認証結果情報を受付け、前記個人認証情報を送信した個人認証情報送信装置に返信する処理と、をコンピュータに実行させるプログラムである。
【発明の効果】
【００１２】
本発明によれば、個人認証情報送信装置が送信した個人認証情報に基づいて、認証装置で認証が行なわれ、その認証結果が個人認証情報送信装置に返送される。そして、個人認証情報送信装置から送信された個人認証情報を認証装置に振り分ける個人認証振分装置の処理においては、個人認証情報を各アクセス先の認証装置ごとに分類し、一斉に送信する。これにより、効率よく個人認証情報を各認証装置に振り分けることができ、個人認証振分装置における振分の処理速度が向上させることができる。また、処理開始通知手段において、個人認証情報の蓄積データ量の検出や、前回送信した時刻からの経過時間を検出を行なっており、適度な蓄積データ量や経過時間で振分処理を開始しているので、個人認証振分装置における処理量の超過や、個人認証情報装置における認証結果待ちの超過を防止することができる。
【発明を実施するための最良の形態】
【００１３】
以下、本発明の一実施形態による認証照合センタ装置（個人認証振分装置）を図面を参照して説明する。図１は同実施形態による認証照合システムの構成を示すブロック図である。この図において、符号１は認証照合センタ装置である。また２は個人認証情報送信端末である。また３ａ〜３ｃは各認証先の業者が保持する認証装置であり、受信した個人認証情報と、自装置の保持する情報とをつき合わせて、個人認証情報に対応する個人の認証結果を認証照合センタ装置１に返信する処理を行なう。そして、通信ネットワークを介して個人認証情報送信端末２と認証照合センタ装置１とが、また当該認証照合センタ装置１と認証装置３ａ〜ｃとが接続されている。
【００１４】
また、認証照合センタ装置１において、符号１００は認証照合センタ装置１の各処理部を制御する制御部である。また１０１は個人認証情報に含まれる個人の所属先の識別情報とアクセス先の情報とを対応付けて記憶するアクセス先記憶部である。また１０２は通信ネットワークを介して他装置と各情報の送受信を行なう通信処理部である。また１０３は個人認証情報送信端末２から受信した各個人認証情報に基づいて、アクセス先記憶部１０１の記憶するアクセス先の情報を読み取る、アクセス先読み取り処理部である。また１０４は前記読み取ったアクセス先別に、各個人認証情報を分類するアクセス先分類処理部である。また１０５は分類した複数の個人認証情報をそれぞれのアクセス先の認証装置に一斉に送信する一斉送信処理部である。また１０６は認証装置３ａ〜３ｃが個人認証情報に基づいて送信した認証結果情報を、個人認証情報送信端末２に返信する認証結果情報返信処理部である。
【００１５】
また１０７は個人認証情報送信装置２から受信した個人認証情報を一時蓄積する個人認証情報一時蓄積部である。また１０８は個人認証情報を一斉に送信した前回の時刻からの経過時間を計測する経過時間計測処理部である。また１０９は個人認証情報一時蓄積部１０７に所定のデータ量まで個人認証情報が蓄積した場合、または経過時間計測処理部１０８が所定の経過時間経過したと計測した場合のいずれか一方の場合に、アクセス先読み取り処理部１０３、アクセス先分類処理部１０４、一斉送信処理部１０５に処理の開始を通知する処理開始通知部である。また１１０は、受信した個人認証情報の一覧を記憶する個人認証情報一覧記憶部である。また１１１は、一斉送信処理部１０５から受け付けた個人認証情報と、認証用ＤＢ（データベース）１１２で記憶している情報とをつき合わせて、個人認証情報に対応する個人の認証結果の情報を生成する認証部である。なお、認証部１１１と認証用ＤＢ１１２は、認証装置３ａ〜ｃと同様の機能を保持した機能部である。
【００１６】
図２はアクセス先記憶部が保持するデータテーブルを示す図である。この図が示すように、アクセス先記憶部１０１は個人の所属先の識別情報とアクセス先の情報とを対応付けて記憶している。なお個人の所属先とは、認証装置を保持する業者などのことを言う。例えば、図１に示した認証照合システムが医療機関と保険者との間で保険証の有効性の認証を行なうシステムである場合には、所属先とは保険証で示された保険者を示す。またこの時個人認証情報送信端末２は医療機関の端末、認証装置３ａ〜ｃは保険者の保持する認証装置（データベースに被保険者の情報を格納している）となる。またアクセス先の情報とは、例えば認証装置に情報を送信するためのＵＲＬやＩＰアドレスのことである。また本実施形態においては、アクセス先は通信ネットワークを介した認証装置３のＵＲＬやＩＰアドレスを示す場合と、認証照合センタ装置１の自装置内にある認証部１１１を示す場合とがある。
【００１７】
図３は個人認証一覧記憶部が保持するデータテーブルを示す図である。
この図が示すように個人認証一覧記憶部１１０は、個人認証情報に含まれる各情報（所属先識別情報、個人番号など）と、その個人認証情報を識別する為の認証ＩＤと、その個人認証情報の認証結果の情報と、認証装置３ａ〜ｃから返信された認証結果以外の情報と、個人認証情報を送信した個人認証情報送信端末２の識別情報（例えばＩＰアドレスなど）とを対応付けたデータテーブルを保持する。
【００１８】
図４は認証照合センタ装置の処理フローを示す図である。
次に、図４を用いて認証照合センタ装置１の処理フローについて説明する。
まず、個人認証情報送信装置２が、認証照合センタ装置１にログオンする。その際、個人認証情報送信端末２は、ユーザから入力を受け付けたＩＤとパスワードとを認証照合センタ装置１に送信し、認証照合センタ装置１にログオンの為の認証を要求する。認証照合センタ装置１では予め、個人認証情報送信端末２を利用するユーザのＩＤとパスワードや、アクセスできる個人認証情報送信端末２のＩＰアドレスを所定の記憶部に記憶している。そして、制御部１００が、アクセスできる個人認証情報送信端末２のＩＰアドレスからのＩＤとパスワードの受信であって、かつ、ＩＤとパスワードの組合せが、予め記憶部に記憶している組合せと一致した場合に、個人認証情報送信端末２からのアクセスを許可し、その旨を通信処理部１０２が個人認証情報送信端末２に通知する。
【００１９】
アクセス許可の情報を受信した個人認証情報送信端末２は、個人認証情報を認証照合センタ１に送信する。この時、個人認証情報送信端末２は、複数の個人認証情報を一度に認証照合センタ装置１に送信しても良い。そして、認証照合センタ装置１の制御部１００は受信した個人認証情報を、順次、個人認証情報一時蓄積部１０７に書き込む（ステップＳ１）。また制御部１００は受信した個人認証情報それぞれに認証ＩＤを割当て、個人認証情報に含まれる各内容と、認証ＩＤと、個人認証情報を送信した個人認証情報送信端末２のＩＰアドレスとを対応付けて個人認証情報一覧記憶部１１０の記憶するデータテーブルに書き込んでいく。なお制御部１００が各個人認証情報に割当てる認証ＩＤは、受信した個人認証情報ごとにそれぞれ異なる。また個人認証情報送信端末２のＩＰアドレスは、個人認証情報の受信の度に、制御部１００が通信処理部１０２から得ている。そして、上記処理により、個人認証情報一時蓄積部１０７には個人認証情報が蓄積されていく。
【００２０】
処理開始通知部１０９は、個人認証情報一時蓄積部１０７に蓄積される個人認証情報のデータ量を所定の間隔で検出している。また処理開始通知部１０９は、個人認証情報を一斉に送信した前回の時刻からの経過時間を計測した経過時間計測処理部１０８から、当該経過時間が所定の時間になった場合に通知を受ける。そして処理開始通知部１０９は、個人認証情報一時蓄積部１０７に所定のデータ量が蓄積した場合、または経過時間計測処理部１０８が所定の経過時間だけ経過したと計測した場合、のいずれか一方の場合に、アクセス先読み取り処理部１０３、アクセス先別分類処理部１０４、一斉送信処理部１０５に処理の開始を通知する（ステップＳ２）。
【００２１】
次に、処理開始の通知を受けたアクセス先読み取り処理部１０３は、個人認証情報一時蓄積部１０７に蓄積されている個人認証情報から、当該個人認証情報に対応する、個人の所属先の識別番号を読み取り、その所属先の識別番号に対応付けられてアクセス先記憶部１０１のデータテーブルに記録されているアクセス先の情報（本実施形態ではＵＲＬやＩＰアドレス）を読み取る（ステップＳ３）。そして、アクセス先読み取り処理部１０３は、個人認証情報に基づいてアクセス先記憶部１０７から読み取ったアクセス先の情報を、対応する個人認証情報の各内容に関連付けて個人認証情報一覧記憶部１１０のデータテーブルに書き込む（ステップＳ４）。そして、アクセス先読み取り処理部１０３は、個人認証情報一時蓄積部１０７に蓄積されている全ての個人認証情報について処理を繰り返し、アクセス先の情報のアクセス先記憶部１０７からの読み取りと、個人認証情報一覧記憶部１１０へ各情報の書き込みを行なう。これにより、各個人認証情報についてどの認証装置（アクセス先）に送信するかを示す情報が個人認証情報一覧記憶部１１０に書き込まれることとなる。
【００２２】
次に、アクセス先分類処理部１０４が、個人認証情報一覧記憶部１１０に書き込まれたアクセス先の情報に基づいて、データテーブルをソートする（ステップＳ５）。そして、各アクセス先の情報ごとに、データテーブルに書き込まれている個人認証情報とその個人認証情報に割り振られた認証ＩＤとの組合せを一斉送信処理部１０５に通知する。次に一斉送信処理部１０５は、アクセス先情報ごとに個人認証情報と認証ＩＤの組合せからなる情報を結合する。そして一斉送信処理部１０５は、各アクセス先に一斉に、個人認証情報と認証ＩＤの組合せの単位を複数保持したデータを送信する（ステップＳ６）。ここで、アクセス先が通信ネットワークを介した認証装置３ａ〜ｃを示す場合には、個人認証情報は通信処理部１０２を介して送信される。またアクセス先が認証照合センタ装置１の認証部１１１を示す場合には、当該認証部１１１に個人認証情報が通知される。なお、この一斉送信処理部１０５の個人認証情報の一斉送信に基づいて、経過時間計測処理部１０８は、経過時間を初期値＝０に戻し再計測を開始する。
【００２３】
認証装置３ａ〜ｃは、個人認証情報に含まれる各情報に基づいて認証を行なう。例えば、認証装置３ａ〜ｃがデータベースａ〜ｃで保持している情報と個人認証情報に含まれる各情報とを付き合わせる。そして、認証装置３ａ〜ｃは認証が成功したか否かを示す認証結果情報と、その認証結果を導くために用いた個人認証情報に対応する認証ＩＤと、個人認証情報に関連する各種情報との組合せを認証照合センタ装置１に送信する。そして、認証照合センタ装置１の認証結果情報返信処理部１０６は、認証ＩＤに基づいて、認証結果情報の返信先となる個人認証情報送信端末２のＩＰアドレスを個人認証情報一覧記憶部１１０のデータテーブルから読み取り、認証結果情報を当該ＩＰアドレス宛に送信する（ステップＳ７）。またこの時、認証装置３ａ〜ｃから受信した個人認証情報に関連する各種情報を個人認証情報一覧記憶部１１０のデータテーブルに書き込む。なお、認証部１１１の処理は認証装置３ａ〜ｃの処理と同様であり、また認証用ＤＢ１１２には認証装置３ａ〜ｃがそれぞれ保持するデータベースａ〜ｃの情報と同様の情報が記録されている。
【００２４】
以上の処理により、個人認証情報送信端末２が送信した個人認証情報に基づいて、各認証装置３ａ〜ｃで認証が行なわれ、その認証結果が個人認証情報送信端末２に返送される。そして、個人認証情報送信端末２から送信された個人認証情報を認証装置３ａ〜ｃに振り分ける認証照合センタ装置１の処理においては、個人認証情報を各アクセス先の認証装置ごとに分類し、一斉に送信する。これにより、効率よく個人認証情報を各認証装置に振り分けることができ、認証照合センタ装置１における振分の処理速度が向上させることができる。また、処理開始通知部１０８において、個人認証情報の蓄積データ量の検出や、前回送信した時刻からの経過時間を検出を行なっており、適度な蓄積データ量や経過時間で振分処理を開始しているので、認証照合センタ装置１における処理量の超過や、個人認証情報送信端末２における認証結果待ちの超過を防止することができる。なお、認証照合センタ装置を備えた認証照合センタシステムは、医療機関と保険者との間の保険証の有効期間の確認の為のシステムなどに利用される。
【００２５】
上述の認証照合センタ装置や認証装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２７】
【図１】認証照合システムの構成を示すブロック図である。
【図２】アクセス先記憶部が保持するデータテーブルを示す図である。
【図３】個人認証一覧記憶部が保持するデータテーブルを示す図である。
【図４】認証照合センタ装置の処理フローを示す図である。
【符号の説明】
【００２８】
１・・・認証照合センタ装置、２・・・個人認証情報送信端末、３ａ，３ｂ，３ｃ・・・認証装置、１００・・・制御部、１０１・・・アクセス先記憶部、１０２・・・通信処理部、１０３・・・アクセス先読み取り処理部、１０４・・・アクセス先分類処理部、１０５・・・一斉送信処理部、１０６・・・認証結果情報返信処理部、１０７・・・個人認証情報一時蓄積部、１０８・・・経過時間計測処理部、１０９・・・処理開始通知部、１１０・・・個人認証情報一覧記憶部、１１１・・・認証部、１１２・・・認証用ＤＢ
【図１】
2006099359.tif 000003
【図２】
2006099359.tif 000004
【図３】
2006099359.tif 000005
【図４】
2006099359.tif 000006